(57)【特許請求の範囲】
【請求項１】
複数の年代の地図データを記憶する地図記憶手段と、表示を希望する年代とデータ項目を指定する指定手段と、上記地図記憶手段から上記指定手段により指定された年代とデータ項目の地図データを読み出しこれに基づいて上記地図データの更新部分を検索する検索手段と、指定された年代とデータ項目の上記地図データおよび検索された上記地図データの更新部分を表示データに編集する編集手段と、上記編集手段により編集された表示データを表示する表示手段とを備えたナビゲーション装置。
【請求項２】
編集手段は、指定された年代とデータ項目または検索された更新部分の地図データを強調表示用の表示データに編集する強調表示編集手段と、指定された年代とデータ項目または検索された更新部分以外の地図データを通常表示用の表示データに編集する通常表示編集手段とを備え、表示手段は、上記強調表示編集手段により編集された強調表示用の表示データと上記通常表示編集手段により編集された通常表示用の表示データを重畳して表示することを特徴とする請求項１記載のナビゲーション装置。
【請求項３】
強調表示編集手段は、地図データに含まれているデータ項目のうち、強調表示対象のデータ項目が指定手段により指定された場合、そのデータ項目のみを強調表示用の表示データに編集して、他のデータ項目を通常表示用の表示データに編集することを特徴とする請求項２記載のナビゲーション装置。
【請求項４】
編集手段は、指定された年代とデータ項目または検索された更新部分の地図データを通常表示用の表示データに編集する通常表示編集手段と、指定された年代とデータ項目または検索された更新部分以外の地図データを弱調表示用の表示データに編集する弱調表示編集手段とを備え、表示手段は、上記通常表示編集手段により編集された通常表示用の表示データと上記弱調表示編集手段により編集された弱調表示用の表示データを重畳して表示することを特徴とする請求項１記載のナビゲーション装置。
【請求項５】
通常表示編集手段は、地図データに含まれているデータ項目のうち、通常表示対象のデータ項目が指定手段により指定された場合、そのデータ項目のみを通常表示用の表示データに編集して、他のデータ項目を弱調表示用の表示データに編集することを特徴とする請求項４記載のナビゲーション装置。
【請求項６】
編集手段は、指定された年代とデータ項目または検索された更新部分の地図データを表示データに編集する第１の編集手段と、指定された年代とデータ項目または検索された更新部分以外の地図データを表示データに編集する第２の編集手段とを備え、表示手段は、上記第１の編集手段により編集された表示データを第１の表示領域に表示し、上記第２の編集手段により編集された表示データを第２の表示領域に表示することを特徴とする請求項１記載のナビゲーション装置。
【請求項７】
指定手段により指定されたデータ項目が道路情報、施設情報、住所情報又は電話番号情報であることを特徴とする請求項１記載のナビゲーション装置。
【請求項８】
指定手段により指定された年代とデータ項目または検索された更新部分以外の地図データとして、最新の地図データを読み出すことを特徴とする請求項２、４、６のうちのいずれか１項記載のナビゲーション装置。
【発明の詳細な説明】
【０００１】
【発明の属する技術分野】
この発明は、複数の年代の地図を表示することができるナビゲーション装置に関するものである。
【０００２】
【従来の技術】
例えば、特開２０００−１１１３５１号公報に開示されているナビゲーション装置は、過去の地図データと最新の地図データを組み合わせて地図を表示するようにしている。
即ち、最新の地図の上に過去の地図を重ね合わせて表示するようにしている。このため、図８に示すように、地図上に表示されている道路や建物などの施設が現在存在するものであるのか、過去に存在していたものであるのかの区別が困難であった。
【０００３】
【発明が解決しようとする課題】
従来のナビゲーション装置は以上のように構成されているので、地図上に表示されている道路や建物などの施設が現在存在するものであるのか、過去に存在していたものであるのかの区別が困難である課題があった。
【０００４】
この発明は上記のような課題を解決するためになされたもので、見易い地図を表示することができるナビゲーション装置を得ることを目的とする。
【０００５】
【課題を解決するための手段】
この発明に係るナビゲーション装置は、複数の年代の地図データを記憶する地図記憶手段と、表示を希望する年代とデータ項目を指定する指定手段と、地図記憶手段から指定手段により指定された年代とデータ項目の地図データを読み出しこれに基づいて地図データの更新部分を検索する検索手段と、指定された年代とデータ項目の地図データおよび検索された地図データの更新部分を表示データに編集する編集手段と、編集手段により編集された表示データを表示する表示手段とを備えるようにしたものである。
また、指定された年代とデータ項目または検索された更新部分の地図データを強調表示用の表示データに編集する強調表示編集手段と、指定された年代とデータ項目または検索された更新部分以外の地図データを通常表示用の表示データに編集する通常表示編集手段とを設け、強調表示編集手段により編集された強調表示用の表示データと通常表示編集手段により編集された通常表示用の表示データを重畳して表示するようにしたものである。
【０００６】
この発明に係るナビゲーション装置は、地図データに含まれているデータ項目のうち、強調表示対象のデータ項目が指定手段により指定された場合、そのデータ項目のみを強調表示用の表示データに編集して、他のデータ項目を通常表示用の表示データに編集するようにしたものである。
【０００７】
この発明に係るナビゲーション装置は、指定された年代とデータ項目または検索された更新部分の地図データを通常表示用の表示データに編集する通常表示編集手段と、指定された年代とデータ項目または検索された更新部分以外の地図データを弱調表示用の表示データに編集する弱調表示編集手段とを設け、通常表示編集手段により編集された通常表示用の表示データと弱調表示編集手段により編集された弱調表示用の表示データを重畳して表示するようにしたものである。
【０００８】
この発明に係るナビゲーション装置は、地図データに含まれているデータ項目のうち、通常表示対象のデータ項目が指定手段により指定された場合、そのデータ項目のみを通常表示用の表示データに編集して、他のデータ項目を弱調表示用の表示データに編集するようにしたものである。
【００１０】
この発明に係るナビゲーション装置は、指定された年代とデータ項目または検索された更新部分の地図データを表示データに編集する第１の編集手段と、指定された年代とデータ項目または検索された更新部分以外の地図データを読み出し、その地図データを表示データに編集する第２の編集手段とを設け、第１の編集手段により編集された表示データを第１の表示領域に表示し、第２の編集手段により編集された表示データを第２の表示領域に表示するようにしたものである。
【００１２】
この発明に係るナビゲーション装置は、指定手段により指定されたデータ項目が道路情報、施設情報、住所情報又は電話番号情報であるようにしたものである。
【００１３】
この発明に係るナビゲーション装置は、指定手段により指定された年代とデータ項目または検索された更新部分以外の地図データとして、最新の地図データを読み出すようにしたものである。
【００１４】
【発明の実施の形態】
以下、この発明の実施の一形態を説明する。
実施の形態１．
図１はこの発明の実施の形態１によるナビゲーション装置を示す概略構成図であり、図２はこの発明の実施の形態１によるナビゲーション装置を示す詳細構成図である。図において、１は複数の年代の地図データが記憶されているＣＤやＤＶＤなどのディスク（地図記憶手段）、２はメインＣＰＵ１０の指示の下、ディスク１から地図データを読み出すＣＤ／ＤＶＤドライブ、３は表示を希望する年代やデータ項目等を指定する操作リモコン（指定手段）、４は表示を希望する年代を入力する年代入力部、５は地図データに含まれているデータ項目のうち、強調表示対象のデータ項目（例えば、道路情報、施設情報、住所情報、電話番号情報）を入力するデータ項目入力部、６は画面に表示する地図のエリアを入力する地図表示位置入力部である。
【００１５】
７は車両の現在位置情報を受信するＧＰＳ受信機、８はジャイロ、９は車速パルス検出器、１０は各種の処理を実施するメインＣＰＵ、１１はディスク１に記憶されている地図データのうち、年代入力部４により入力された年代の地図データと、最新の地図データ（年代入力部４により入力された年代以外の地図データ）を読み出す該当データ検索部、１２は年代入力部４により入力された年代の地図データを強調表示用の表示データに編集する強調表示データ編集部（強調表示編集手段）、１３は最新の地図データを通常表示用の表示データに編集する通常表示データ編集部（通常表示編集手段）、１４は車両の現在位置を検出する位置検出部である。
【００１６】
１５は強調表示データ編集部１２により編集された強調表示用の表示データと通常表示データ編集部１３により編集された通常表示用の表示データを重畳するデータ重畳部、１６はデータ重畳部１５により重畳された表示データにしたがってモニタ１７に地図を表示する描画ＬＳＩ、１７はモニタである。なお、データ重畳部１５、描画ＬＳＩ１６及びモニタ１７から表示手段が構成されている。
なお、図３はディスク１に記憶されている地図データのデータ構成を示す説明図である。
【００１７】
次に動作について説明する。
まず、ディスク１は複数の年代の地図データを記憶しているが、具体的には、図３に示すように、地図データが道路情報、施設情報、住所情報、電話番号情報などのデータ項目から構成され、各データ項目には存在期間が定義されている。したがって、例えば、道路情報Ａに相当する道路がある年代において存在しているか否かを調べる場合、道路情報Ａの道路存在期間を見ればよい。
【００１８】
例えば、ユーザが最新の地図と１９９５年の地図の表示を希望する場合、操作リモコン３の年代入力部４を操作して、“１９９５”を入力する。特に、地図上で強調表示するデータ項目を指定する場合には、操作リモコン３のデータ項目入力部５を操作して、当該データ項目を入力する。例えば、ガソリンスタンドのみを強調表示する場合、“ガソリンスタンド”を入力する。
【００１９】
メインＣＰＵ１０の該当データ検索部１１は、ＣＤ／ＤＶＤドライブ２を制御して、ディスク１に記憶されている地図データのうち、年代入力部４により入力された年代の地図データと、最新の地図データの読み出しを実施する。
【００２０】
強調表示データ編集部１２は、該当データ検索部１１が指定された年代の地図データを読み出すと、その地図データを強調表示用の表示データに編集する。ただし、データ項目入力部５から強調表示するデータ項目が入力された場合には、その年代の地図データのうち、そのデータ項目のみを強調表示用の表示データに編集して、他のデータ項目を通常表示用の表示データに編集する。
一方、通常表示データ編集部１３は、該当データ検索部１１が最新の地図データを読み出すと、その地図データを通常表示用の表示データに編集する。ここで、通常表示用の表示データとは、強調表示されない表示データを意味する。
【００２１】
データ重畳部１５は、強調表示データ編集部１２により編集された強調表示用の表示データと通常表示データ編集部１３により編集された通常表示用の表示データを重畳する。即ち、強調表示用の表示データの上に、通常表示用の表示データを重ね合わせる処理を実施する。あるいは、通常表示用の表示データの上に、強調表示用の表示データを重ね合わせる処理を実施する。
【００２２】
ただし、ユーザが地図表示位置入力部６を操作して、画面に表示する地図のエリアを入力している場合には、そのエリア内の表示データの重ね合わせを実施する。
なお、表示データの重畳処理を実施する際、位置検出部１４により検出された現在位置に自車位置マークが表示されるように、その自車位置マークも表示データと重ね合わせる処理を実施する。
【００２３】
描画ＬＳＩ１６は、データ重畳部１５が表示データの重畳処理を実施すると、重畳処理後の表示データにしたがってモニタ１７に地図を表示する。
図４はモニタ１７に表示された地図を示す説明図である。図において、２１〜２３は強調表示されている道路、２４は通常表示されている道路、２５は強調表示されている施設（例えば、ガソリンスタンド）、２６は通常表示されている施設、２７は自車位置マークである。
【００２４】
以上で明らかなように、この実施の形態１によれば、強調表示データ編集部１２により編集された強調表示用の表示データと通常表示データ編集部１３により編集された通常表示用の表示データを重畳して表示するように構成したので、見易い地図を表示することができる効果を奏する。
【００２５】
なお、この実施の形態１では、該当データ検索部１１が年代入力部４により入力された年代以外の地図データとして、最新の地図データを読み出すものについて示したが、これに限るものではなく、他の年代の地図データを読み出すようにしてもよい。
【００２６】
実施の形態２．
上記実施の形態１では、指定された年代の地図データを強調表示用の表示データに編集し、最新の地図データを通常表示用の表示データに編集するものについて示したが、指定された年代の地図データを通常表示用の表示データに編集し、最新の地図データを弱調表示用の表示データに編集するようにしてもよく、上記実施の形態１と同様の効果を奏することができる。
図５はモニタ１７に表示された地図を示す説明図である。図において、３１〜３３は通常表示されている道路、３４は弱調表示されている道路、３５は通常表示されている施設（例えば、ガソリンスタンド）、３６は弱調表示されている施設である。
【００２７】
実施の形態３．
上記実施の形態１では、指定された年代の地図データを強調表示用の表示データに編集し、最新の地図データを通常表示用の表示データに編集するものについて示したが、指定された年代の地図データを通常表示用の表示データに編集し、指定された年代の地図のみを表示するようにしてもよい。
図６はモニタ１７に表示された地図を示す説明図である。図において、４１〜４３は通常表示されている道路、４５は通常表示されている施設（例えば、ガソリンスタンド）である。
【００２８】
実施の形態４．
上記実施の形態１では、指定された年代の地図を強調表示して、最新の地図を通常表示するものについて示したが、図７に示すように、指定された年代の地図をモニタ１７の画面左側領域に表示し、最新の地図をモニタ１７の画面右側領域に表示するようにしてもよい。
図７はモニタ１７に表示された地図を示す説明図である。図において、５１は指定された年代の地図、５２は最新の地図である。
【００２９】
実施の形態５．
上記実施の形態１〜４では、特に言及していないが、ユーザが操作リモコン３を操作して、年代とデータ項目を指定した場合、その年代とデータ項目に基づいて地図データの更新部分を検索するようにしてもよい。
例えば、ユーザが年代として１９９８年〜２０００年を入力し、“データ項目としてガソリンスタンド”を入力すると、地図データにおける施設情報の施設種別と施設存続期間を参照して、１９９８年〜２０００年において、新規に開店したガソリンスタンド、あるいは、閉店したガソリンスタンドを検索する。
これにより、地図データの更新部分を簡単に探し出すことができる。
【００３０】
【発明の効果】
以上のように、この発明によれば、複数の年代の地図データを記憶する地図記憶手段と、表示を希望する年代とデータ項目を指定する指定手段と、地図記憶手段から指定手段により指定された年代とデータ項目の地図データを読み出しこれに基づいて地図データの更新部分を検索する検索手段と、指定された年代とデータ項目の地図データおよび検索された地図データの更新部分を表示データに編集する編集手段と、編集手段により編集された表示データを表示する表示手段とを備えるように構成したので、見易い地図を表示することができ、地図データの更新部分を簡単に探し出すことができる効果がある。
また、指定された年代とデータ項目または検索された更新部分の地図データを強調表示用の表示データに編集する強調表示編集手段と、指定された年代とデータ項目または検索された更新部分以外の地図データを通常表示用の表示データに編集する通常表示編集手段とを設け、強調表示編集手段により編集された強調表示用の表示データと通常表示編集手段により編集された通常表示用の表示データを重畳して表示するように構成したので、見易い地図を表示することができる効果がある。
【００３１】
この発明によれば、地図データに含まれているデータ項目のうち、強調表示対象のデータ項目が指定手段により指定された場合、そのデータ項目のみを強調表示用の表示データに編集して、他のデータ項目を通常表示用の表示データに編集するように構成したので、更に見易い地図を表示することができる効果がある。
【００３２】
この発明によれば、指定された年代とデータ項目および検索された更新部分の地図データを読み出し、その地図データを通常表示用の表示データに編集する通常表示編集手段と、指定された年代とデータ項目および検索された更新部分以外の地図データを読み出し、その地図データを弱調表示用の表示データに編集する弱調表示編集手段とを設け、通常表示編集手段により編集された通常表示用の表示データと弱調表示編集手段により編集された弱調表示用の表示データを重畳して表示するように構成したので、見易い地図を表示することができる効果がある。
【００３３】
この発明によれば、地図データに含まれているデータ項目のうち、通常表示対象のデータ項目が指定手段により指定された場合、そのデータ項目のみを通常表示用の表示データに編集して、他のデータ項目を弱調表示用の表示データに編集するように構成したので、更に見易い地図を表示することができる効果がある。
【００３５】
この発明によれば、地図記憶手段から指定手段により指定された年代の地図データを読み出し、その地図データを表示データに編集する第１の編集手段と、その地図記憶手段から指定手段により指定された年代以外の地図データを読み出し、その地図データを表示データに編集する第２の編集手段とを設け、第１の編集手段により編集された表示データを第１の表示領域に表示し、第２の編集手段により編集された表示データを第２の表示領域に表示するように構成したので、見易い地図を表示することができる効果がある。
【００３７】
この発明によれば、指定手段により指定されたデータ項目が道路情報、施設情報、住所情報又は電話番号情報であるように構成したので、簡単にデータ項目を指定することができる効果がある。
【００３８】
この発明によれば、指定手段により指定された年代とデータ項目または検索された更新部分以外の地図データとして、最新の地図データを読み出すように構成したので、最新の地図を表示することができる効果がある。
【図面の簡単な説明】
【図１】  この発明の実施の形態１によるナビゲーション装置を示す概略構成図である。
【図２】  この発明の実施の形態１によるナビゲーション装置を示す詳細構成図である。
【図３】  ディスクに記憶されている地図データのデータ構成を示す説明図である。
【図４】  モニタに表示された地図を示す説明図である。
【図５】  モニタに表示された地図を示す説明図である。
【図６】  モニタに表示された地図を示す説明図である。
【図７】  モニタに表示された地図を示す説明図である。
【図８】  従来の地図を示す説明図である。
【符号の説明】
１  ディスク（地図記憶手段）、２  ＣＤ／ＤＶＤドライブ、３  操作リモコン（指定手段）、４  年代入力部、５  データ項目入力部、６  地図表示位置入力部、７  ＧＰＳ受信機、８  ジャイロ、９  車速パルス検出器、１０  メインＣＰＵ、１１  該当データ検索部、１２  強調表示データ編集部（強調表示編集手段）、１３  通常表示データ編集部（通常表示編集手段）、１４  位置検出部、１５  データ重畳部（表示手段）、１６  描画ＬＳＩ（表示手段）、１７  モニタ（表示手段）、２１〜２３  強調表示されている道路、２４  通常表示されている道路、２５  強調表示されている施設、２６  通常表示されている施設、２７  自車位置マーク、３１〜３３  通常表示されている道路、３４  弱調表示されている道路、３５  通常表示されている施設、３６  弱調表示されている施設、４１〜４３  通常表示されている道路、４５  通常表示されている施設、５１  指定された年代の地図、５２  最新の地図。
【図１】
0004097913.tif 000002
【図２】
0004097913.tif 000003
【図３】
0004097913.tif 000004
【図４】
0004097913.tif 000005
【図５】
0004097913.tif 000006
【図６】
0004097913.tif 000007
【図７】
0004097913.tif 000008
【図８】
0004097913.tif 000009